(57)【要約】【課題】耐風性に優れ、意匠性を備えたテントを提供することを目的とする。【解決手段】矩形の各隅に配置される支柱と、矩形の辺をなすように隣合う支柱同士を連結する梁と、支柱間に張設される面状の天幕と、を備え、支柱は、短支柱と、短支柱よりも長い長支柱と、を含み、天幕は、各隅部が各支柱の上端に張設され、矩形の一つの対角線方向について、他の対角線方向とは異なる張力が付与されるように張設可能であるテント。【選択図】図１
2019044476.tif 000002
【特許請求の範囲】
【請求項１】
矩形の各隅に配置される支柱と、
前記矩形の辺をなすように隣合う前記支柱同士を連結する梁と、
前記支柱間に張設される面状の天幕と、を備え、
前記支柱は、短支柱と、前記短支柱よりも長い長支柱と、を含み、
前記天幕は、各隅部が前記各支柱の上端に張設され、
前記矩形の一つの対角線方向について、他の対角線方向とは異なる張力が付与されるように張設可能である
ことを特徴とするテント。
【請求項２】
前記矩形の一つの対角線方向に前記短支柱が配置され、他の対角線方向に長支柱が配置される
請求項１に記載のテント。
【請求項３】
前記天幕は、全体として矩形平面であり、各辺には緩やかな湾曲状の切り欠きが形成される
請求項１または２に記載のテント。
【発明の詳細な説明】
【技術分野】
【０００１】
本発明は、日除けや雨除けのために用いられる、テントに関する。
【背景技術】
【０００２】
イベント会場等に設置されるテントは、突風によってテントが変形し、さらには吹き飛ばされると、テントの内外の人及び機材に被害が及ぶことから、テントには耐風性が要求される。
【０００３】
また、イベント会場等に設置されるテントは、設置のし易さ、出入りのし易さ、さらには意匠性を備えるものが製品競争上の優位を得ることができる。
【０００４】
特許文献１は、テントの棟の両脇と妻にそれぞれ通風口を設けることで、屋根（天幕）の内側に吹き込む風の一部を逃がして耐風性を高めたテントを開示している。
【０００５】
特許文献２は、巻き取り可能な天幕を水平方向のみに張るため、横風の影響を受けにくい巻き取り式タープを開示している。
【先行技術文献】
【特許文献】
【０００６】
【特許文献１】特開２００６−０９０１２４号公報
【特許文献２】特開２０１５−２２４４５２号公報
【発明の概要】
【発明が解決しようとする課題】
【０００７】
特許文献１に開示のテントは、屋根（天幕）の内側に空気の貯まり場が出来ることから、屋根の内側に向けて吹き込む風量が大きい場合には、通風口から一部の風を逃がしてもテントの変形や吹き飛ばしを防ぐことが出来ない。
【０００８】
特許文献２に開示のタープは、空気の貯まり場が生じないため横風に対する耐風性に優れるが、タープの内側へと吹き込み、タープを下から上へと持ちあげる風については、水平に張る天幕に風の分散機能がないため、天幕にかかる力によってタープの変形や吹き飛ばしに繋がるおそれがある。
【０００９】
そこで、本発明は、耐風性に優れ、意匠性を備えたテントを提供することを目的とする。
【課題を解決するための手段】
【００１０】
本発明の一態様によれば、テントであって、矩形の各隅に配置される支柱と、前記矩形の辺をなすように隣合う前記支柱同士を連結する梁と、前記支柱間に張設される面状の天幕と、を備え、前記支柱は、短支柱と、前記短支柱よりも長い長支柱と、を含み、前記天幕は、各隅部が前記各支柱の上端に張設され、前記矩形の一つの対角線方向について、他の対角線方向とは異なる張力が付与されるように張設可能である。
【発明の効果】
【００１１】
上記の態様によれば、耐風性に優れ、意匠性を備えたテントを提供することができる。
【図面の簡単な説明】
【００１２】
【図１】本発明の実施形態に係るテントの斜視図である。
【図２】（Ａ）本発明の実施形態に係るテントの平面図であり、（Ｂ）同平面図の右下隅の拡大図である。
【図３】本発明の実施形態に係る天幕の一隅を外したテントの斜視図である。
【図４】本発明の実施形態に係るテントの正面図である。
【図５】本発明の実施形態に係るテントの右側面図である。
【図６】本発明の実施形態に係るテントの天幕を山形に取り付けた場合の斜視図である。
【図７】本発明の実施形態に係るテントの支柱と梁との接続箇所の拡大図である。
【図８】（Ａ）本発明の実施形態の変形例１に係るテントの二本の梁の端部の拡大斜視図であり、（Ｂ）変形例１に係るテントの支柱と梁との接続箇所の拡大図である。
【図９】本発明の実施形態の変形例２に係るテントの支柱と梁との接続箇所の拡大図である。
【図１０】本発明の実施形態の変形例３に係るテントの斜視図である。
【発明を実施するための形態】
【００１３】
以下、図面を参照しながら本発明の実施形態に係るテント１を説明する。天幕１０については、天側を表側、地側を裏側とする。テント１は、側面に幕を取り付けない外周開放型であり、天幕１０を谷形（バタフライ型）又は山形に取り付けられることが特徴のひとつとなる。
【００１４】
まず、テント１の骨組みを説明する。図１、図２（Ａ）に示すように、テント１は、平面視で矩形のテントであり、四隅に支柱２が配置される。支柱２は、大人の身長よりも長い短支柱３と、短支柱よりも長い長支柱４と、を含む。本実施形態では、平面視の形状を正方形として例示する。長支柱４は、例えば、短支柱３の約１．５倍の長さであるが、短支柱３、長支柱４の長さの比は一例である。
【００１５】
短支柱３は、上記矩形の一方の対角線方向に配置され、長支柱４は、他方の対角線方向に配置される。短支柱３と、長支柱４とは、梁（横桟）５によって連結される。梁５は、短支柱３の上端部脇及び長支柱４の上端部脇にそれぞれ設けられる中空状の梁支持部６に支持されて、斜めに架け渡される。梁５は、平面視において上記矩形の辺部をなし、隣合う支柱２を連結させるように、四辺にそれぞれ個別に架け渡される。梁５の長さは、例えば、短支柱３よりも長く、例えば、四本とも同じ長さである。
【００１６】
短支柱３及び長支柱４は、立設時の安定性を高めるために下端部に脚座７をそれぞれ備え、長支柱４は、ロープ１３を係止するロープ係止部８を立設時に手の届く高さとなる位置に備える。ロープ係止部８は、全ての長支柱４に設けられてもよいし、一対の長支柱４のどちらかのみに設けられてもよく、また短支柱３に設けられてもよい。
【００１７】
また、短支柱３及び長支柱４は、それぞれ上端部の側面に天幕１０を張設するためのリング９を備える。リング９は、リング９の径方向が支柱２の長手方向に直交するように取り付けられ、支柱２の立設時に、径方向が水平となる。
【００１８】
次に、天幕１０について説明する。平面視におけるテント１の一隅を拡大した図２（Ｂ）に示すように、天幕１０の四隅には、それぞれリング状の天幕側係止部１１が設けられる。このうち天幕１０の三隅の天幕側係止部１１は、係合部材１２によってリング９と係合される。係合部材１２は、例えば、カラビナである。
【００１９】
天幕１０の残り一隅の天幕側係止部１１には、ロープ１３が取り付けられ、図３に示すように、長支柱４のリング９に通過させたロープ１３をロープ係止部８に係止することで、天幕１０が骨組みに張設される。
【００２０】
本実施形態に係るテント１では、ロープ１３に掛ける力加減によって、一定の張力が掛る短支柱３同士を結ぶ対角線方向（短支柱方向）の張力よりも、長支柱４同士を結ぶ対角線方向（長支柱方向）の張力を大きくすることや、短支柱方向の張力よりも長支柱方向の張力を小さくすることができる。そのため、天幕１０が備える生地の伸縮性とあいまって天幕１０を谷形（正確には、谷形を基調とした鞍型形状）に張設するか、山形（正確には、山形を基調とした鞍型形状）に張設するかを張り分けることができる。図１では、短支柱方向の張力が長支柱方向の張力よりも大きくなるようにロープ１３が係止されており、天幕１０は短支柱方向を谷底とする谷形に張設されている。
【００２１】
図２（Ａ）に示すように、天幕１０は、矩形（例えば、略正方形、略菱形）を基調として各辺が緩やかな湾曲状（例えば、カテナリー状）によって内側へ切り欠かれた切り欠き１０ａが形成される。張設された天幕１０の１辺の長さＬ１を１００とした場合、対向するアーチの頂部同士の長さＬ２は約９２である。天幕１０は、約８％の割合で切り欠かれた切り欠き１０ａによって、各辺にしなやかな曲線がもたらされ、見る者の心を和ませるとともに、力学的安定性を持つカテナリー曲線が備える安定性によって、見る者の心が落ち着く意匠を備える。日射によって切り欠き１０ａが作り出す日影の線も見る者に同様の心理的効果をもたらす。
【００２２】
また、アーチによる力の分散機能によって、切り欠き１０ａは、ロープ１３への力加減によって短支柱方向と長支柱方向とで異なる張力を掛けたときや、天幕１０が風を受けたときでも、天幕１０の一部に過度な張力がかからないように張力を分散させるため、天幕１０の一部が突っ張って、他の部分が弛まないようにできる。つまり、切り欠き１０ａは、天幕１０にかかる張力を分散し、天幕１０全体がしわにならず緩やかな曲面を保持させる機能を有する。
【００２３】
なお、図示を省略するが、天幕１０の裏側には、照明、ファン等を吊り下げる吊下部やケーブルを通過させるためのケーブル通過部が設けられてもよい。
【００２４】
天幕１０を取り付けたテント１は、短支柱３と、長支柱４と、梁５と、地面と、に囲まれる面が、テント１の内外を分ける境界部となり、当該境界部である四面のそれぞれが入口及び出口となる。
【００２５】
テント１は、側面に取り付ける幕がない外周開放型であり、後述するように、天幕１０の最低部は、大人の身長よりも高いため、テント１への出入りに際して腰を屈める必要がない。そのため、テント１は、出入りが容易である。
【００２６】
続けて、テント１の構造及び特徴を説明する。図４、図５は、天幕１０を谷形に張設したテント１の正面図、右側面図である。テント１の背面は正面と対称であり、左側面は右側面と対称である。図４、図５に示すように、短支柱３は、脚座７側から所定長となる分割部３ａにおいて脚部と頭部とに分けることができ、長支柱４は、同様に脚座７側から所定長となる分割部４ａにおいて脚部と頭部に分けることができる。そのため、短支柱３及び長支柱４は、分割して保管、運搬が可能であり、短支柱３及び長支柱４の脚部は共通化することができる。脚部と頭部とは、分離せずに折り曲げて収容可能であってもよい。
【００２７】
また、短支柱３及び長支柱４の頭部は、脚部と連結しない状態において、高さを低く抑えられるため、梁支持部６に梁５を接続する、リング９に天幕１０の三隅を取り付ける、リング９にロープ１３を通過させる、ことが容易である。撤収時は設置時と逆さの作業を行うため、撤収時も同様の効果がもたらされる。このように、テント１は、支柱を分割することができるため、長さ方向にかさばらず、保管、運搬に有利であり、高さを抑えた状態で設置作業や撤収作業を進められるため、設置、撤収が容易である。梁５も分割可能であるか折り曲げ可能であってもよい。
【００２８】
そして、短支柱方向の張力が長支柱方向の張力よりも大きくなるように引張された天幕１０は、短支柱方向を谷底として両側の長支柱方向に向けてそれぞれ斜面が形成される谷形状に張設される。そして、当該谷底は、長支柱方向からもたらされる張力によって横から見ると中央部が上方へ持ちあがっており、張設された天幕１０は、全体として谷形の鞍状形状となる。
【００２９】
ここで、テント１の耐風性について説明する。一般にテントは天幕を備え、天幕の裏側に向けて吹き込む風があると、天幕を下から上へと持ちあげる力が働く。この時、天幕が屋根型に取り付けられているか、水平に取り付けられていると、天幕に向けた上向きの風が外側に分散されず、テントは上向きの力をそのまま受けることになる。さらに、テントの側面に取り付ける幕があると、天幕との間に空気の貯まり場が生じるため、下から天幕に吹き付ける風は外側に逃げ場がなく、テントにかかる上向きの力は側面の幕からももたらされる。
【００３０】
それに対して、本実施形態のように、テント１は、側面に幕を取り付けないため、天幕１０との間に空気の貯まり場が生じず、側面に幕を取り付けるテントに比べて耐風性が高い。また、天幕１０を谷形に取り付けると、天幕１０の裏側に吹き込む上向きの風は、天幕１０の谷（上向きの風側からすると山）を境にして分けられ分散される。また、天幕１０の裏側は斜面となっているため、上向きの風による力は、斜面に平行な分力と斜面に垂直な分力に分解されて、上向きの力が弱まる。そのため、天幕１０谷形に取り付けたテント１は、天幕が水平に取り付けられるか屋根形に取り付けられるテントよりも上向きの風に対して耐風性が高く、浮き上がり難い（吹き飛ばされ難い）。
【００３１】
なお、天幕１０の三隅を支柱２から外し、残る一隅と係合している長支柱４に天幕１０を巻きつける等によって固定することで、テント１の耐風性を超える強風が吹きつける場合であってもテント１の骨組みを解体、撤去する必要がない。この場合において、短支柱３と係合している天幕１０の二隅は手を伸ばせば届く高さであるため、すぐさま係合部材１２を天幕側係止部１１または短支柱３のリング９から外すことができ、ロープ係止部８から解除したロープ１３を持って一気に向かいの長支柱４に天幕１０を固定することができる。
【００３２】
次に、テント１が備える意匠及び当該意匠が奏する効果について説明する。対角線上に谷が形成されるように天幕１０を張設されたテント１は、テント１の中心部から四方のいずれに向かう方向であっても、長支柱４へ向けた上り傾斜によって開放感がもたらされる。つまり、テント１は、テント１の内側から外側へ向けた開放感を備える。加えて、天幕１０の各四辺の湾曲と、谷底の中央部が持ち上がる湾曲１０ｂとが、テント１に伸びやかな開放感をもたらす。
【００３３】
また、図４、図５に示すとおり、テント１の四方のいずれから見ても、天幕１０の表側と裏側とが視認でき、日中であれば、天幕１０の表側の明るさと天幕１０の裏側の暗さとのコントラストがテント１の意匠性を引き立てる。このような天幕１０の表裏がもたらすコントラストとテント１が備える開放感は、例えば、自然や開放感を楽しむ海水浴場、プールサイド、ＢＢＱ会場、ゴルフ場等のリゾート空間における親和性が高い。また、人が集まるイベント会場、商店街等においては、テント１によって開放感を演出することができ、出入りのし易い構造から人の往来を促し活気をもたらすことができる。
【００３４】
そして、短支柱３は、大人の身長より長いため（短支柱の長さは、例えば、２ｍ以上である）、張設された天幕１０の最低部は大人の身長よりも高い。そのため、テント１内のどの場所においても、天幕１０に接することなく大人が立つことができ、例えば、立食形式の会食が可能である。谷形に張設された天幕１０は、空気、煙、音が上方にも抜け易いため、テント１内で飲食物を調理するにあたっては、熱や煙が籠り難いという利点がある。
【００３５】
また、正面／背面のように、テント１には対称性が含まれるものの、四面に形成される入口は、短支柱３と長支柱４との高さの違いによって敢えて対称性が崩されているため、対称性と非対称性とが混在し、非日常感を演出する等のイベント性を高める効果がもたらされる。
【００３６】
また、テント１を複数設置する場合、入口の面形状を合わせるように、テント１を隣合わせに複数設置すると、天幕１０が波打つように連続した空間を作り出すことができ、入口の面形状を合わせずに設置すると、変則的な空間を作り出すことができるため、テント１は面白さを感じる空間を提供することができる。
【００３７】
次に、テント１において、天幕１０を山形に張設する場合について説明する。図６は、天幕１０を山形に張設した場合のテント１である。短支柱方向の張力よりも長支柱方向の張力が大きくなるように引張された天幕１０は、長支柱方向を峰として、その両側の短支柱３へ向けて下り傾斜する。当該峰は、短支柱方向からもたらされる張力によって横から見ると下方へ湾曲して落ち込んでおり、峰の線は緩やかな双曲線状となる。そのため、張設された天幕１０は、全体として山形の鞍状形状となる。
【００３８】
図６に示すように、天幕１０を山形に取り付けた場合は、テント１の中心部の空間を高くとることができる。そのため、テント１の中心部に向けた開放感がもたらされ、テント１の外側から内側に向けた開放感を備える。また、谷形に取り付けた場合に比べて、斜めから射す日差しの遮断量が増える。
【００３９】
耐風性については、山形であっても、峰の中心部に向けて峰が湾曲しているため、峰の中心部から外側に向けて（つまり、長支柱４へ向けて）斜面が高くなり、上向きの風が周囲に抜けやすくなる。このため、天幕１０を谷形に張設する場合と同じように、天幕１０を山形に張設してもテント１の浮き上がりが抑制される。
【００４０】
以上のように、天幕１０を山形に張るか、谷形に張るかは、ロープ１３に掛ける力加減によって変更できるため、テント１を設置する場所の状況変化に合わせて天幕１０の張設状態を変更することができる。
【００４１】
次に、図７から図９を参照して支柱２と梁５との接続について説明する。図７は、本実施形態に係るテント１の支柱２と梁５との接続箇所の拡大図である。梁５は、両端部に鎌状に設けられる円柱状の梁接続部５ａを備え、梁接続部５ａは、支柱２に設けられる梁支持部６に上方から挿入されて支柱２と連結される。
【００４２】
ただし、梁支持部６は、各支柱２の上端脇に設けられるため、美感を損なうおそれがある。そのため、支柱２と梁５との接続構造が変更されたテント１について以下に二つの変形例を示す。
【００４３】
変形例１は、円柱状の梁接続部５ａに替えて半円柱状の梁接続部５ｂを用いて直接支柱２と梁５とを接続する方法である。図８（Ａ）は、変形例１に係るテント１の梁５であって、直交する角度に配置した二本の梁５の端部を合わせるように近づけた状態を図示している。
【００４４】
変形例１のテント１に用いられる梁５の端部は、長手方向に対して約４５度の角度の面が形成されるように端面５ｃが形成される。そのため、端面５ｃを別の梁５の端面５ｃと対向して接面させると、二本の梁５が９０度の角度で当接する。
【００４５】
そして、梁５の端部から下垂するように設けられる梁接続部５ｂは、端面５ｃの延長面となる合わせ面５ｄを備える。梁接続部５ｂの断面は半円状であり、二本の梁５の合わせ面５ｄを対向して接面させると、当接した二本の梁接続部５ｂは合わさってちょうど円柱となる。
【００４６】
そして、図８（Ｂ）に示すように、当接した二本の梁接続部５ｂが支柱２の上端部に上方から挿入されて、支柱２と二本の梁５とが接続される。
【００４７】
このように、変形例１のテントは、二本の梁５を合わせて支柱２の上端に挿し込むことができるため、支柱２に梁支持部６を設ける必要がなく、テント１全体では、八個の梁支持部６が省かれることでよりシンプルな外観となる。
【００４８】
変形例２は、部材のほとんどが支柱２の内空及び梁５の内空に覆われる接続部材３０によって支柱２と梁５とを連結する方法である。図９は、変形例２に係るテント１の支柱と梁５との接続箇所の拡大図である。変形例２では、梁５と支柱２とを接続するために、接続部材３０が用いられる。
【００４９】
接続部材３０は、三股状に分かれた部材であり、円柱状の胴３０ａと、円柱状の二本の腕３０ｂと、を備える。胴３０ａの外周は、支柱２の内周と係合するように形成され、腕３０ｂの外周は、梁５の内周と係合するように形成される。梁５は、梁接続部５ａを備えずに端部は中空を開放しており、梁５の端部は、腕３０ｂを覆うようにして接続部材３０と接続することができる。
【００５０】
腕３０ｂの表面には、例えば、弾性部材によって外に突き出すように付勢され、押下げ可能な突起部３０ｃが一個または複数設けられ、梁５の端部には、当該突起部３０ｃと係合する係合孔５ｅが対応するように設けられる。そのため、係合孔５ｅに突起部３０ｃが係合することで、腕３０ｂと梁５とは強固に接続される。同様に、胴３０ａにも突起部が設けられ、支柱２の上端部にも対応する係合孔が設けられてもよい。
【００５１】
このように、変形例２に係るテント１は、梁５と支柱２の接続に接続部材３０を用いるため、梁５は、長手方向とは異なる方向に突き出す梁接続部５ａを備える必要がない。そのため、運搬、設置、撤収に際して、梁接続部５ａによって他の物をひっかける事故を未然に防ぐことができる。また、変形例１のテント１と同様に、支柱２には梁支持部６を設ける必要がないため、よりシンプルな外観となる。
【００５２】
次に、テント１の剛性を高めた変形例３に係るテント１を説明する。図１０は、実施形態の変形例３に係るテント１の斜視図である。変形例３に係るテント１では、梁５と支柱２との間に筋交い４０が取り付けられる。
【００５３】
本実施形態に係るテント１では、骨組みを変形させる力がテント１に加わった場合に、支柱２と梁５との接続箇所のみで当該力を吸収する必要があったが、筋交い４０がテント１に取り付けられると、支柱２と梁５との接続箇所が増えるため、当該力が分散され、テント１の剛性を高めることができる。
【００５４】
テント１の重心は所定の高さとなるところ、横風や斜め下方からの風によってテント１にかかる転倒モーメントは、短支柱３よりも長支柱４に向かう力の方が大きいため、長支柱４と梁５との梁接続部５ａは特に強度が必要となる。中でも、長支柱４に接続する梁５の梁接続部５ａは、梁５に対して９０度よりも小さい鋭角に設けられるため、長支柱４と接続する梁接続部５ａは、テント１を変形する力が集中し易い。
【００５５】
それに対して、図１０に示すように、八個の筋交い４０（四個の長支柱側筋交い４０ａと四個の短支柱側筋交い４０ｂ）が取り付けられることで、長支柱４と梁接続部５ａとを折り曲げようとする力の一部は、長支柱側筋交い４０ａに分散され、また、短支柱側筋交い４０ｂによる張力によって力を弱めることができる。
【００５６】
このように、変形例３に係るテント１では、筋交い４０を取り付けることにより、効果的に剛性が高められる。
【００５７】
なお、筋交い４０は、梁５と梁５との間に取り付けられてもよい。また、筋交い４０は、直線状ではなく、意匠性を持たせるために曲線状や波状等であってもよい。
【００５８】
なお、上述の形態は、本発明を実施する際の好適な形態の一例ではあるものの、本発明の実施の形態が上述のものに限定されるものではない。本発明の要旨を逸脱しない範囲において本発明は種々変形実施可能である。
【００５９】
例えば、天幕１０の支持方法は、本実施形態における支持方法に限られず、その他周知の方法が採用可能である。天幕１０は、梁５に支持されてもよい。また、天幕１０は、正方形を基調としたものに限られず、三角形を基調とした幕が複数枚取り付けられてもよいし、円形や多角形を基調とした幕が取り付けられてもよい。
【００６０】
また、天幕１０は、例えば、天幕１０の一方の対角線方向に伸縮性を備える（伸縮性に富む）ものでもよく、天幕１０の張設にあたっては、伸縮性を備える方向を、短支柱方向に合わせて張設するか、長支柱方向に合わせて張設するかによって、天幕１０を谷形か山形かに張り分けることができる。また、例えば、支柱２が略正方形に配置された場合において、伸縮性が乏しい生地の略菱形の天幕１０では、菱形の長軸方向を短支柱方向に合わせるか、長軸方向を長支柱方向に合わせるかによって、谷形に張設するか、山形に張設するかを張り分けてもよい。
【００６１】
また、天幕１０は、梁５を超えて側面に垂れてもよく、垂れる部分にはスリットが設けられてもよい。この場合、側面に垂れる幕によって横風を受け易くなるが、側面に垂れる部分は、側部や下部が固定されなければ、柳のように風を受け流すことができる。
【００６２】
梁支持部６、リング９は、支柱２に多数設けられてもよい。例えば、１本の支柱２の上端部近傍の外周に、９０度ごとに梁支持部６、リング９がそれぞれ４個ずつ設けられると、１本の支柱２によって４方向へ梁５を連結することができ、また、４方向に天幕１０を張設することができる。これによって、複数のテント１を隣合わせに設置するに際して、支柱２の立設数を減らすことができる。
【００６３】
リング９は、リング９の径方向が支柱２の長手方向と揃う様に取り付けられてもよいし、支柱２に沿って上下可能でもよい。また、天幕側係止部１１自体がカラビナ状に開閉可能なリング部材であってもよい。
【符号の説明】
【００６４】
１        テント
３        短支柱
４        長支柱
５        梁（横桟）
１０      天幕
【図１】
2019044476.tif 000003
【図２】
2019044476.tif 000004
【図３】
2019044476.tif 000005
【図４】
2019044476.tif 000006
【図５】
2019044476.tif 000007
【図６】
2019044476.tif 000008
【図７】
2019044476.tif 000009
【図８】
2019044476.tif 000010
【図９】
2019044476.tif 000011
【図１０】
2019044476.tif 000012
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
矩形の各隅に配置される支柱と、
前記矩形の辺をなすように隣合う前記支柱同士を連結する梁と、
前記支柱間に張設される面状の天幕と、を備え、
前記支柱は、短支柱と、前記短支柱よりも長い長支柱と、を含み、
前記矩形の一つの対角線方向に前記短支柱が配置され、他の対角線方向に長支柱が配置され、
前記天幕は、各隅部が前記各支柱に張設され、
前記矩形の一つの対角線方向について、他の対角線方向とは異なる張力が付与されるように張設可能である
ことを特徴とするテント。
【請求項２】
前記天幕は、全体として矩形平面であり、各辺には緩やかな湾曲状の切り欠きが形成される
請求項１に記載のテント。
【手続補正２】
【補正対象書類名】明細書
【補正対象項目名】００１０
【補正方法】変更
【補正の内容】
【００１０】
本発明の一態様によれば、矩形の各隅に配置される支柱と、前記矩形の辺をなすように隣合う前記支柱同士を連結する梁と、前記支柱間に張設される面状の天幕と、を備え、前記支柱は、短支柱と、前記短支柱よりも長い長支柱と、を含み、前記矩形の一つの対角線方向に前記短支柱が配置され、他の対角線方向に長支柱が配置され、前記天幕は、各隅部が前記各支柱に張設され、前記矩形の一つの対角線方向について、他の対角線方向とは異なる張力が付与されるように張設可能である。